(57)【要約】【課題】スクリーンの指向特性を容易に変更することができ、左右いずれかの方向の観察者から見た画像光の輝度を向上させることができるスクリーンの提供。【解決手段】スクリーン６は、フレネルレンズ６１と、レンチキュラーレンズ６２と、ブラックストライプ６３と、視野角調整部材６４とを備える。レンチキュラーレンズ６２は、フレネルレンズ６１にて変換された平行光を、ブラックストライプ６３の間から射出する。視野角調整部材６４は、複数の視野角調整素子６４１を備え、各視野角調整素子６４１には、シリンドリカルレンズ６２１と、ブラックストライプ６３とにより分割される部分光ＬＳが背面６４２からそれぞれ入射する。そして、視野角調整部材６４を左右いずれかの方向に移動させることにより、各部分光ＬＳの光路を変更することができる。【選択図】図３
2008158173.tif 000002
【特許請求の範囲】
【請求項１】
背面側から投射された画像光を前面側に投影させる透過型のスクリーンであって、
前記画像光を複数の部分光に分割して射出する分割部材と、
前記複数の部分光の光路を、内部で反射させて変更する視野角調整部材とを備え、
前記視野角調整部材および前記分割部材のうち、いずれか一方が、他方に対して相対移動されることにより、当該視野角調整部材は、前記複数の部分光の光路を変更することを特徴とするスクリーン。
【請求項２】
請求項１に記載のスクリーンにおいて、
当該スクリーンは、略矩形状に形成され、
前記分割部材は、前記画像光を、略均一な幅で当該スクリーンにおける一辺の方向に分割し、
前記視野角調整部材は、前記複数の部分光がそれぞれ入射する複数の視野角調整素子を備え、
前記視野角調整素子は、柱状体で形成され、前記視野角調整部材が、前記一辺の方向に移動されることにより、前記部分光の光路を、当該視野角調整素子の側面で反射させて変更することを特徴とするスクリーン。
【請求項３】
請求項２に記載のスクリーンにおいて、
前記視野角調整素子は、
前記分割部材と対向し、前記部分光が入射する背面と、
前記一辺の方向に対向する２つの側面とを備え、
前記２つの側面は、前記視野角調整部材が、前記一辺の方向に移動された場合に、前記部分光の主光線と略平行な光が、前記２つの側面のうち、いずれか一方の側面において反射し、当該背面とは異なる面から射出されるように形成されることを特徴とするスクリーン。
【請求項４】
請求項３に記載のスクリーンにおいて、
前記視野角調整素子は、
前記背面と、前記２つの側面とをそれぞれ延長して柱状体を構成した場合に、略正三角柱となることを特徴とするスクリーン。
【請求項５】
請求項１から請求項４のいずれかに記載のスクリーンにおいて、
前記複数の部分光の主光線は、互いに略平行であることを特徴とするスクリーン。
【請求項６】
光源から射出された光を画像情報に応じて変調して画像光を形成し、当該画像光を拡大投射する画像投射装置と、請求項１から請求項５のいずれかに記載のスクリーンとを備えることを特徴とするリアプロジェクタ。
【発明の詳細な説明】
【技術分野】
【０００１】
本発明は、スクリーンおよび当該スクリーンを備えるリアプロジェクタに関する。
【背景技術】
【０００２】
従来、透過型のスクリーンに画像光を拡大投写して表示するリアプロジェクタが知られている。このような透過型のスクリーンは、一般的に、フレネルレンズと、レンチキュラーレンズとを重ねた層状構成となっている。画像光は、フレネルレンズを透過することによって、スクリーンの法線方向に対して略平行な光となり、レンチキュラーレンズに入射する。そして、レンチキュラーレンズに入射した光は、スクリーンの水平方向に発散され、スクリーンを透過する。これにより、スクリーンの視野角を広げることができ、観察者は画像光を様々な方向から観察することができる。
【０００３】
ここで、スクリーンの視野角は、レンチキュラーレンズの形状等により定まり、固定されているため、視野角から外れた位置、例えばスクリーンの左右いずれかの方向から観察者がスクリーンを観察する場合には、観察者から見た画像光の輝度が低下する。また、スクリーンの視野角を広げると、観察者の方向に向かう光量が少なくなるため、観察者から見た画像光の輝度が低下するという問題があった。
これに対して、指向特性を変更することができるスクリーンが知られている（例えば、特許文献１参照）。なお、指向特性とは、スクリーンの法線方向からのずれ角度に対する光量の特性をいうものとする。
特許文献１に記載の透過型のスクリーンでは、フレネルレンズと、レンチキュラーレンズとの間に、電圧を印加することによりスクリーンの指向特性を変更することができる分散型液晶パネルを配置している。そして、視野角を狭くするように指向特性を変更することにより、スクリーンの正面方向の観察者に向かう光量を多くして、観察者から見た画像光の輝度を向上させている。
【０００４】
【特許文献１】特開平５−１９７０２３号公報
【発明の開示】
【発明が解決しようとする課題】
【０００５】
しかしながら、特許文献１に記載の透過型のスクリーンでは、正面方向の観察者から見た画像光の輝度を向上させることはできるが、視野角から外れた位置、例えば左右いずれかの方向の観察者から見た画像光の輝度を向上させることができないという問題がある。
【０００６】
本発明の目的は、スクリーンの指向特性を容易に変更することができ、左右いずれかの方向の観察者から見た画像光の輝度を向上させることができるスクリーンおよび当該スクリーンを備えるリアプロジェクタを提供することにある。
【課題を解決するための手段】
【０００７】
本発明は、背面側から投射された画像光を前面側に投影させる透過型のスクリーンであって、前記画像光を複数の部分光に分割して射出する分割部材と、前記複数の部分光の光路を、内部で反射させて変更する視野角調整部材とを備え、前記視野角調整部材および前記分割部材のうち、いずれか一方が、他方に対して相対移動されることにより、当該視野角調整部材は、前記複数の部分光の光路を変更することを特徴とする。
【０００８】
このような構成によれば、視野角調整部材および分割部材のうち、いずれか一方が、他方に対して相対移動されることにより、視野角調整部材は、複数の部分光の光路を変更することができる。したがって、スクリーンの指向特性を容易に変更することができる。また、例えば、複数の部分光の光路を、内部で反射させてスクリーンの左右いずれかの方向に変更するように、視野角調整部材を形成することにより、左右いずれかの方向の観察者から見た画像光の輝度を向上させることができる。
【０００９】
本発明では、当該スクリーンは、略矩形状に形成され、前記分割部材は、前記画像光を、略均一な幅で当該スクリーンにおける一辺の方向に分割し、前記視野角調整部材は、前記複数の部分光がそれぞれ入射する複数の視野角調整素子を備え、前記視野角調整素子は、柱状体で形成され、前記視野角調整部材が、前記一辺の方向に移動されることにより、前記部分光の光路を、当該視野角調整素子の側面で反射させて変更することが好ましい。
【００１０】
ここで、透過型のスクリーンにおける前述したレンチキュラーレンズは、一般的に、光入射面が平面で形成され、光射出面が凸状のレンズ面に形成されるシリンドリカルレンズを、スクリーンの水平方向に複数並べてシート状に構成されている。そして、各シリンドリカルレンズの光射出面において外光が反射しないように、各シリンドリカルレンズ間の凹部に、反射防止膜が形成されている。すなわち、スクリーンの背面側から投射される画像光は、各シリンドリカルレンズと、各反射防止膜とにより水平方向に分割され、複数の部分光として射出されるとともに、各部分光の主光線は、スクリーンの法線方向と略平行である。
【００１１】
したがって、例えば、本発明の分割部材を、レンチキュラーレンズと、反射分離膜とから構成し、レンチキュラーレンズの光射出面側に、各部分光がそれぞれ入射する複数の視野角調整素子を備える視野角調整部材を配置して本発明のスクリーンを構成することができる。これにより、スクリーンの構成を簡略化することができる。そして、各視野角調整素子は、視野角調整部材が、スクリーンの水平方向に移動されることにより、部分光の光路を、この視野角調整素子の側面で反射させて変更することができる。
【００１２】
本発明では、前記視野角調整素子は、前記分割部材と対向し、前記部分光が入射する背面と、前記一辺の方向に対向する２つの側面とを備え、前記２つの側面は、前記視野角調整部材が、前記一辺の方向に移動された場合に、前記部分光の主光線と略平行な光が、前記２つの側面のうち、いずれか一方の側面において反射し、当該背面とは異なる面から射出されるように形成されることが好ましい。
【００１３】
このような構成によれば、視野角調整部材を、スクリーンの一辺の方向に移動した場合に、背面から入射した部分光の主光線と略平行な光が、２つの側面のうち、いずれか一方の側面において反射し、背面とは異なる面、例えば他方の側面から射出されるので、視野角調整部材が、スクリーンの一辺の方向に移動されることにより、部分光の光路を変更することができる。また、背面から入射した部分光の主光線と略平行な光は、背面とは異なる面から射出されるので、光量を損失することなく各視野角調整素子から射出することができる。
【００１４】
本発明では、前記視野角調整素子は、前記背面と、前記２つの側面とをそれぞれ延長して柱状体を構成した場合に、略正三角柱となることが好ましい。
このような構成によれば、背面から入射した部分光と略平行な光は、一方の側面において反射した場合に、他方の側面と略直交する方向に進み、他方の側面から略屈折することなく射出されるので、光量を損失することなく各視野角調整素子から射出することができる。
【００１５】
本発明では、前記複数の部分光の主光線は、互いに略平行であることが好ましい。
このような構成によれば、各部分光の光路を容易に所定の方向に揃えることができるので、観察者に向かう光量を多くすることができ、観察者から見た画像光の輝度を向上させることができる。
【００１６】
本発明のリアプロジェクタは、光源から射出された光を画像情報に応じて変調して画像光を形成し、当該画像光を拡大投射する画像投射装置と、前述したスクリーンとを備えることを特徴とする。
このような構成によれば、リアプロジェクタは、前述したスクリーンを備えるので、前述したスクリーンの作用および効果と同様の作用および効果を享受することができる。また、例えば、リモートコントローラなどを操作して視野角調整部材および分割部材のうち、いずれか一方を移動可能に構成することにより、プロジェクタの観察者は、各部分光の光路を自身の方向に変更することができる。
【発明を実施するための最良の形態】
【００１７】
以下、本発明の実施形態を図面に基づいて説明する。
〔リアプロジェクタ１の主な構成〕
図１は、リアプロジェクタ１の垂直方向断面図である。
リアプロジェクタ１は、図１に示すように、キャビネット２と、画像投射装置としてのプロジェクタユニット３と、制御ユニット４と、反射ミラー５と、スクリーン６とにより大略構成されている。
【００１８】
キャビネット２は、図１に示すように、背面側（図１中、右側）が傾斜した箱形に構成され、内部にプロジェクタユニット３、制御ユニット４、および反射ミラー５を収納配置する。なお、具体的な図示は省略するが、キャビネット２内部には、プロジェクタユニット３、制御ユニット４、および反射ミラー５の他、リアプロジェクタ１の各構成部材に電力を供給する電源ユニット、および、リアプロジェクタ１内部を冷却する冷却ユニット、音声を出力する音声出力ユニット等が配置される。
また、このキャビネット２の前面側（図１中、左側）には、平面視矩形状の開口部２１が形成され、開口部２１周縁にスクリーン６が支持固定される。
【００１９】
プロジェクタユニット３は、キャビネット２内の底面に配置され、制御ユニット４から出力された画像信号に基づいて画像光Ｌを形成して反射ミラー５に向けて拡大投射する。なお、このプロジェクタユニット３の具体的な構成は後述する。
制御ユニット４は、具体的な図示は省略するが、例えば、チューナ、ＩＦ（Intermediate Frequency）回路、音声検波回路、映像検波回路、増幅回路、およびＣＰＵ（Central Processing Unit）等を備えて構成され、プロジェクタユニット３を統括的に制御する。また、制御ユニット４は、リアプロジェクタ１の観察者によるリモートコントローラ（図示省略）または操作パネル（図示省略）の操作に応じた動作、例えば、電源のオン／オフやチャンネルの切り替え等を行う。
【００２０】
反射ミラー５は、キャビネット２内の上部の背面側に配置され、プロジェクタユニット３によって投射された画像光Ｌをスクリーン６の背面側に反射する。
スクリーン６は、矩形形状を有し、キャビネット２の開口部２１周縁に支持固定される。そして、このスクリーン６は、背面側から投射された画像光Ｌを前面側に投影させて投影画像を表示する透過型のスクリーンである。なお、このスクリーン６の具体的な構成は後述する。
【００２１】
〔プロジェクタユニット３の構成〕
図２は、プロジェクタユニット３の内部に構成される光学系の概略構成を示す模式図である。
プロジェクタユニット３は、図２に示すように、インテグレータ照明光学系３１と、色分離光学系３２と、リレー光学系３３と、光学装置３４と、投射レンズ３５とを備える。
【００２２】
インテグレータ照明光学系３１は、光源から射出された光を照明光軸直交面内における照度を均一にするための光学系である。このインテグレータ照明光学系３１は、図２に示すように、超高圧水銀ランプ、メタルハライドランプ、キセノンランプ等の放電発光型の光源ランプ３１１１およびリフレクタ３１１２を含む光源装置３１１と、第１レンズアレイ３１２と、第２レンズアレイ３１３と、偏光変換素子３１４と、重畳レンズ３１５とを備える。光源ランプ３１１１から射出された光は、リフレクタ３１１２によって射出方向が揃えられ、第１レンズアレイ３１２によって複数の部分光に分割され、第２レンズアレイ３１３の近傍で結像する。第２レンズアレイ３１３から射出された各部分光は、その中心軸が後段の偏光変換素子３１４の入射面に垂直となるように入射し、偏光変換素子３１４にて略１種類の直線偏光光として射出される。偏光変換素子３１４から直線偏光光として射出され、重畳レンズ３１５を介した複数の部分光は、光学装置３４の後述する３枚の液晶パネル上で重畳する。
【００２３】
色分離光学系３２は、２枚のダイクロイックミラー３２１，３２２と、反射ミラー３２３とを備え、これらのダイクロイックミラー３２１，３２２、反射ミラー３２３によりインテグレータ照明光学系３１から射出された複数の部分光を赤、緑、青の三色の色光に分離する機能を有する。
リレー光学系３３は、入射側レンズ３３１、リレーレンズ３３２、および反射ミラー３３３，３３４を備え、色分離光学系３２で分離された色光を後述する液晶パネルまで導く機能を有する。
【００２４】
光学装置３４は、色分離光学系３２から射出される３つの色光を画像情報に応じてそれぞれ変調し、変調した各色光を合成してカラー画像を形成する。この光学装置３４は、図２に示すように、光変調装置としての３つの液晶パネル３４１（Ｒ色光用の液晶パネルを３４１Ｒ、Ｇ色光用の液晶パネルを３４１Ｇ、Ｂ色光用の液晶パネルを３４１Ｂとする）と、これら液晶パネル３４１の光入射側および光射出側にそれぞれ配置される入射側偏光板３４２および射出側偏光板３４３と、クロスダイクロイックプリズム３４４とを備える。
【００２５】
入射側偏光板３４２は、偏光変換素子３１４で偏光方向が略一方向に揃えられた各色光が入射され、入射された光のうち、偏光変換素子３１４で揃えられた光の偏光軸と略同一方向の偏光光のみ透過させ、その他の光を吸収するものである。この入射側偏光板３４２は、例えば、サファイアガラスまたは水晶等の透光性基板上に偏光膜が貼付された構成を有している。
液晶パネル３４１は、具体的な図示は省略するが、一対の透明なガラス基板に電気光学物質である液晶が密閉封入された構成を有し、前記制御装置から出力される駆動信号に応じて、前記液晶の配向状態が制御され、入射側偏光板３４２から射出された偏光光の偏光方向を変調する。
【００２６】
射出側偏光板３４３は、入射側偏光板３４２と略同様の構成であり、液晶パネル３４１から射出された光のうち、入射側偏光板３４２における光の透過軸と直交する偏光軸を有する光のみ透過させ、その他の光を吸収するものである。
クロスダイクロイックプリズム３４４は、射出側偏光板３４３から射出された色光毎に変調された変調光（光学像）を合成して画像光（カラー画像）を形成する光学素子である。このクロスダイクロイックプリズム３４４は、４つの直角プリズムを貼り合わせた平面視正方形状をなし、直角プリズム同士を貼り合わせた界面には、２つの誘電体多層膜が形成されている。これら誘電体多層膜は、投射レンズ３５に対向する側に配置された液晶パネル３４１（３４１Ｇ）から射出され射出側偏光板３４３を介した色光を透過し、残りの２つの各液晶パネル３４１（３４１Ｒ，３４１Ｇ）から射出され各射出側偏光板３４３を介した各色光を反射する。このようにして、各液晶パネル３４１にて変調された各色光が合成されてカラー画像が形成される。
【００２７】
投射レンズ３５は、複数のレンズが組み合わされた組レンズとして構成される。そして、この投射レンズ３５は、クロスダイクロイックプリズム３４４にて形成されたカラー画像に基づいた画像光Ｌを形成して反射ミラー５に向けて拡大投射する。
以上説明したプロジェクタユニット３は、投射レンズ３５から拡大投射され反射ミラー５にて反射される際に反射ミラー５での光吸収による光損失を抑制するために、画像光Ｌ（直線偏光）の偏光方向が反射ミラー５に対する入射面に垂直な直線偏光光（Ｓ偏光光）となるように設定されている（図１参照）。
【００２８】
〔スクリーン６の構成〕
図３は、スクリーン６の概略構成を示す水平方向断面図である。
スクリーン６は、図３に示すように、フレネルレンズ６１と、レンチキュラーレンズ６２と、ブラックストライプ６３と、視野角調整部材６４とを備える。
フレネルレンズ６１は、図３に示すように、背面側（画像光Ｌの入射側）に配置され、反射ミラー５を介して入射した画像光Ｌを平行光に変換する。
【００２９】
レンチキュラーレンズ６２は、図３に示すように、光入射面が平面で形成され、光射出面が凸状のレンズ面に形成されるシリンドリカルレンズ６２１を、スクリーン６の水平方向に複数並べてシート状に構成され、フレネルレンズ６１の光路後段に配置されている。
ブラックストライプ６３は、図３に示すように、各シリンドリカルレンズ６２１間の凹部に形成される反射防止膜である。ブラックストライプ６３は、スクリーン６に向けて前面側から入射する外光が反射することを防止している。
【００３０】
そして、レンチキュラーレンズ６２は、フレネルレンズ６１にて変換された平行光を、ブラックストライプ６３の間から射出する。すなわち、レンチキュラーレンズ６２から射出される画像光Ｌは、各シリンドリカルレンズ６２１と、ブラックストライプ６３とによりスクリーン６の水平方向に略均一な幅で分割され、複数の部分光ＬＳとして射出される。また、各部分光ＬＳは、スクリーン６の水平方向に所定の広がりを持ってレンチキュラーレンズ６２から射出されているが、各部分光ＬＳの中心軸（以下、主光線とする）は、スクリーン６の法線方向と略平行である。
なお、本実施形態においては、本発明の分割部材は、レンチキュラーレンズ６２と、ブラックストライプ６３とから構成されている。
【００３１】
視野角調整部材６４は、図３に示すように、正三角柱状に形成された石英ガラスからなる視野角調整素子６４１（柱状体）を、スクリーン６の水平方向に複数並べてシート状に構成され、レンチキュラーレンズ６２の光路後段、すなわち、光射出面側に配置されている。
各視野角調整素子６４１は、背面６４２、右側面６４３、及び左側面６４４を備える。また、各視野角調整素子６４１における正三角形の各辺は、各部分光ＬＳの主光線間のピッチ（１ピッチ）と同じ長さに形成され、各部分光ＬＳの主光線と、背面６４２の中心軸とを揃えることができる。したがって、各視野角調整素子６４１には、各シリンドリカルレンズ６２１と、ブラックストライプ６３とにより分割される各部分光ＬＳが背面６４２からそれぞれ入射する。
【００３２】
なお、視野角調整部材６４は、ステッピングモータ（図示省略）により、スクリーン６の前面側から見て右（図３中矢印ＲＤ）方向または左（図３中矢印ＬＤ）方向、すなわち、スクリーン６の水平方向に移動可能に構成されている。そして、このステッピングモータは、前述した制御ユニット４の制御の下、リモートコントローラまたは操作パネルの操作に応じて、視野角調整部材６４を、段階的に左右いずれかの方向に０．５ピッチの範囲内で移動させる。すなわち、リアプロジェクタ１の観察者は、任意に視野角調整部材６４をスクリーン６の左右いずれかの方向に移動させることができる。
【００３３】
〔スクリーン６の指向特性の変更方法〕
次に、各視野角調整素子６４１の背面６４２から入射した各部分光ＬＳの主光線と略平行な光の光路について、図４および図５をも参照して説明する。
図４は、視野角調整部材６４を右方向に移動させた場合における各部分光ＬＳの主光線と略平行な光の光路を示す図である。図５は、視野角調整部材６４を左方向に移動させた場合における各部分光ＬＳの主光線と略平行な光の光路を示す図である。
ここで、図３から図５においては、各部分光ＬＳの主光線と略平行な光のうち、スクリーン６の前面側から見て最も右側にある光を光Ａ、最も左側にある光を光Ｂとして説明する。
【００３４】
まず、図３に示すように、レンチキュラーレンズ６２と、視野角調整部材６４とが初期位置にある場合、すなわち、各部分光ＬＳの主光線と、背面６４２の中心軸とが揃っている場合には、背面６４２から入射した光Ａ，Ｂは、それぞれ視野角調整素子６４１の内部を直進する。光Ａは、右側面６４３に略３０°の入射角で入射し、光Ｂは、左側面６４４に略３０°の入射角で入射する。ここで、視野角調整素子６４１を形成する石英ガラスの屈折率をｎ１＝１．５とし、空気の屈折率をｎ２＝１．０とすれば、視野角調整素子６４１から空気中に光Ａが入射する場合における臨界角θは、スネルの法則により、以下の式（１）により計算される。
【００３５】
θ＝ａｒｃｓｉｎ（ｎ２／ｎ１）…（１）
【００３６】
したがって、臨界角θは、略４２°となり、入射角は、略３０°であるので、光Ａ，Ｂは、それぞれ右側面６４３，左側面６４４、すなわち、一方の側面にて全反射する。そして、光Ａ，Ｂは、それぞれ左側面６４４，右側面６４３に対して略９０°の角度で入射し、左側面６４４，右側面６４３、すなわち、背面６４２とは異なる面から略屈折することなく射出される。
【００３７】
次に、図４に示すように、視野角調整部材６４を右方向に移動させた場合には、背面６４２から入射した光Ａ，Ｂは、それぞれ視野角調整素子６４１の内部を直進する。そして、光Ａ，Ｂは、左側面６４４に略３０°の入射角で入射する。したがって、臨界角θは、略４２°であるので、光Ａ，Ｂは、左側面６４４にて全反射する。そして、光Ａ，Ｂは、右側面６４３に対して略９０°の角度で入射し、右側面６４３から略屈折することなく射出される。
【００３８】
次に、図５に示すように、視野角調整部材６４を左方向に移動させた場合には、背面６４２から入射した光Ａ，Ｂは、それぞれ視野角調整素子６４１の内部を直進する。そして、光Ａ，Ｂは、右側面６４３に略３０°の入射角で入射する。したがって、臨界角θは、略４２°であるので、光Ａ，Ｂは、右側面６４３にて全反射する。そして、光Ａ，Ｂは、左側面６４４に対して略９０°の角度で入射し、左側面６４４から略屈折することなく射出される。
【００３９】
したがって、レンチキュラーレンズ６２と、視野角調整部材６４とが初期位置にある場合には、各部分光ＬＳの主光線と略平行な光は、右側面６４３方向，左側面６４４方向に分かれて視野角調整素子６４１から射出される。また、視野角調整部材６４を右方向に移動させた場合には、各部分光ＬＳの主光線と略平行な光は、右側面６４３方向に射出され、視野角調整部材６４を左方向に移動させた場合には、各部分光ＬＳの主光線と略平行な光は、左側面６４４方向に射出される。また、前述したように、各部分光ＬＳは、スクリーン６の水平方向に所定の広がりを持ってレンチキュラーレンズ６２から射出されているので、各視野角調整素子６４１から射出される部分光ＬＳは、主光線を中心として広がりをもって射出される。
【００４０】
以上のように、スクリーン６は、背面側から投射された画像光Ｌを前面側に投影させて投影画像を表示することができ、視野角調整部材６４を左右いずれかの方向に移動させることにより、各部分光ＬＳの光路を変更することができる。
【００４１】
本実施形態に係るリアプロジェクタ１によれば、次のような効果がある。
（１）視野角調整部材６４を、段階的に左右いずれかの方向に移動させることにより、各部分光ＬＳの光路を変更することができるので、スクリーン６の指向特性を容易に変更することができる。
（２）視野角調整部材６４を右方向に移動させた場合には、各部分光ＬＳの主光線と略平行な光は、右側面６４３方向に射出され、視野角調整部材６４を左方向に移動させた場合には、各部分光ＬＳの主光線と略平行な光は、左側面６４４方向に射出されるので、左右いずれかの方向の観察者から見た画像光の輝度を向上させることができる。
【００４２】
（３）レンチキュラーレンズ６２の光射出面側に、視野角調整部材６４を配置しているので、スクリーン６の構成を簡略化することができる。
（４）部分光ＬＳの主光線と略平行な光は、背面６４２とは異なる面から略屈折することなく射出されるので、光量を損失することなく各視野角調整素子６４１から射出することができる。
（５）各部分光の主光線は、スクリーン６の法線方向と略平行であるので、各部分光ＬＳの光路を容易に所定の方向に揃えることができる。したがって、観察者に向かう光量を多くすることができ、観察者から見た画像光Ｌの輝度を向上させることができる。
（６）リアプロジェクタ１の観察者は、任意に視野角調整部材６４をスクリーン６の左右いずれかの方向に移動させることにより、各部分光の光路を自身の方向に変更することができる。
【００４３】
〔実施形態の変形〕
なお、本発明は前記実施形態に限定されるものではなく、本発明の目的を達成できる範囲での変形、改良等は本発明に含まれるものである。
前記実施形態では、視野角調整部材６４は、ステッピングモータにより、左右いずれかの方向に移動可能に構成されていたが、観察者が手動操作により視野角調整部材を移動させることができるようにスクリーンを構成してもよい。なお、この場合には、前述した特許文献１に記載のスクリーンのように電圧を印加し続けることなく、スクリーンの指向特性を変更することができる。
前記実施形態では、視野角調整部材６４を左右いずれかの方向に移動させることにより、各部分光ＬＳの光路を変更していたが、例えば、レンチキュラーレンズ６２を左右いずれかの方向に移動させることができるように構成してもよく、要するに、分割部材および視野角調整部材のうち、いずれか一方を移動可能に構成すればよい。
【００４４】
前記実施形態では、各シリンドリカルレンズ６２１は、スクリーン６の水平方向に複数並べられていたが、例えば、スクリーン６の垂直方向に複数並べられていてもよい。なお、この場合には、各視野角調整素子６４１は、スクリーン６の垂直方向に複数並べられていればよい。
前記実施形態では、分割部材は、レンチキュラーレンズ６２と、ブラックストライプ６３とから構成されていたが、例えば、画像光Ｌを略均一な幅でスクリーン６の水平方向に分割するように、フレネルレンズ６１にブラックストライプを形成してもよい。さらには、マトリクス状に配列された球面レンズにブラックストライプを格子状に形成し、縦横に分割された部分光を射出するように形成してもよい。要するに、画像光を複数の部分光に分割して射出することができればよい。
【００４５】
前記実施形態では、各シリンドリカルレンズ６２１と、ブラックストライプ６３とにより分割された部分光ＬＳの主光線は、スクリーン６の法線方向と略平行であったが、略平行でなくてもよく、要するに、各部分光が各視野角調整素子にそれぞれ入射することができればよい。
前記実施形態では、各視野角調整素子６４１は、石英ガラスから構成されていたが、例えば、水晶など他の材料から構成してもよく、要するに、光透過性を有する材料から構成すればよい。
【００４６】
前記実施形態では、各視野角調整素子６４１は、正三角柱状に形成されていたが、これ以外の形状に形成されていてもよく、要するに、各部分光の光路を、視野角調整素子の側面で反射させて変更することができればよい。
例えば、視野角調整素子の形状は、視野角調整素子６４１において、スクリーン６の前面側を平面とした断面台形状の四角柱であってもよく、さらには、スクリーン６の前面側を曲面とした形状であってもよい。なお、この場合には、レンチキュラーレンズ６２と、視野角調整部材とが初期位置にある場合には、部分光ＬＳの一部がスクリーン６の前面側に射出されるので、正面方向の観察者から見た画像光の輝度を向上させることができる。
【００４７】
また、例えば、前述したように、分割部材が縦横に分割された部分光を射出するように形成されている場合には、スクリーンの法線方向に高さを有する角錐や円錐などを視野角調整素子としてもよい。なお、この場合には、視野角調整部材を、スクリーンに対して上下左右いずれかの方向に移動させて、各部分光の光路を変更することができる。
すなわち、分割部材から射出される各部分光の状態および視野角調整素子を構成する材料の屈折率などに基づいて、視野角調整素子の形状を任意に変更することにより、各部分光の光路を定めることができる。
前記実施形態では、視野角調整部材６４は、複数の視野角調整素子６４１を備えていたが、例えば１つの部材を成型することにより、各部分光の光路を、内部で反射させて変更するようにしてもよい。
【００４８】
前記実施形態では、各部分光ＬＳの主光線と略平行な光は、それぞれ左側面６４４，右側面６４３に対して略９０°の角度で入射し、背面６４２とは異なる面から略屈折することなく射出されていたが、背面６４２から射出されていてもよい。なお、背面６４２から射出される光は、スクリーン６の前面側に射出されずに光量の損失となる場合がある。
前記実施形態では、スクリーン６は、リアプロジェクタ１に用いられるとしたが、透過型のスクリーンを用いる表示装置などに用いてもよい。
【産業上の利用可能性】
【００４９】
本発明は、スクリーンに利用することができ、特に、リアプロジェクタに用いられるスクリーンに好適に利用することができる。
【図面の簡単な説明】
【００５０】
【図１】本発明の一実施形態に係るリアプロジェクタの垂直方向断面図。
【図２】前記実施形態におけるプロジェクタユニットの内部に構成される光学系の概略構成を示す模式図。
【図３】前記実施形態におけるスクリーンの概略構成を示す水平方向断面図。
【図４】前記実施形態における視野角調整部材を右方向に移動させた場合における主光線の光路を示す図。
【図５】前記実施形態における視野角調整部材を左方向に移動させた場合における主光線の光路を示す図。
【符号の説明】
【００５１】
１…リアプロジェクタ、３…プロジェクタユニット、６…スクリーン、６２…レンチキュラーレンズ、６３…ブラックストライプ、６４…視野角調整部材、６２１…シリンドリカルレンズ、６４１…視野角調整素子、６４２…背面、６４３…右側面、６４４…左側面。
【図１】
2008158173.tif 000003
【図２】
2008158173.tif 000004
【図３】
2008158173.tif 000005
【図４】
2008158173.tif 000006
【図５】
2008158173.tif 000007